(57)【要約】【課題】誤操作を防止できるとともに、正しい吐水操作を操作者に認識させることができる水栓を提供する。【解決手段】水栓１は、吐水操作を行う回動式ハンドル６０（操作部）と、回動式ハンドル６０による吐水操作がロックされたロック状態にするロック機構と、回動式ハンドル６０による吐水操作が可能なロック解除状態のときに出現して吐水操作を示す表示部８１（第１表示部）とを備えている。また、水栓１は、ロック状態において、ロック状態からロック解除状態に切り替えるロック解除操作を示す表示部８２（第２表示部）を備えることができる。【選択図】図４
2018062814.tif 000002
【特許請求の範囲】
【請求項１】
吐水操作を行う操作部と、
前記操作部による吐水操作がロックされたロック状態にするロック機構と、
前記操作部による吐水操作が可能なロック解除状態のときに出現して前記吐水操作を示す第１表示部と、
を備えることを特徴とする水栓。
【請求項２】
前記ロック状態において、前記ロック状態から前記ロック解除状態に切り替えるロック解除操作を示す第２表示部を備えることを特徴とする請求項１記載の水栓。
【請求項３】
前記操作部は、所定の回動軸周りに回動自在及び前記回動軸方向に移動自在に設けられており、
前記ロック状態から前記ロック解除状態に切り替えるロック解除操作は、前記操作部の前記回動軸方向への移動操作であるとともに、前記吐水操作は、前記操作部の前記回動軸周りの回動操作であることを特徴とする請求項１又は２記載の水栓。
【請求項４】
前記操作部は、所定の回動軸周りに回動自在及び前記回動軸方向に移動自在に設けられており、
前記ロック状態から前記ロック解除状態に切り替えるロック解除操作は、前記操作部の前記回動軸周りの回動操作であるとともに、前記吐水操作は、前記操作部の前記回動軸方向への移動操作であることを特徴とする請求項１又は２記載の水栓。
【発明の詳細な説明】
【技術分野】
【０００１】
本発明は水栓に関するものである。
【背景技術】
【０００２】
特許文献１は従来の水栓を開示している。この水栓は、本体と、この本体に取り付けられたスピンドルと、このスピンドルに進退自在に取り付けられたハンドルとを備えている。また、本体には、先端に切り欠き部を有するストッパーが固定されている。ハンドルには嵌合部が設けられている。そして、ハンドルの嵌合部がストッパーの切り欠き部に嵌合することによって、ハンドルの回転がロックされる機能を有している。また、ハンドルを引くことによって、嵌合部が切り欠き部から離脱し、ハンドルの回転方向のロックが解除される。
【先行技術文献】
【特許文献】
【０００３】
【特許文献１】特開２００２−１６７８１８号公報
【発明の概要】
【発明が解決しようとする課題】
【０００４】
特許文献１の水栓の場合、ハンドルの回転がロックされる機能を有していることにより、不意の吐水といった誤操作を防止することができる。しかし、吐水操作がわかりにくく、吐水を行えないおそれがあった。
【０００５】
本発明は、上記従来の実情に鑑みてなされたものであって、誤操作を防止できるとともに、正しい吐水操作を操作者に認識させることができる水栓を提供することを解決すべき課題としている。
【課題を解決するための手段】
【０００６】
本発明の水栓は、吐水操作を行う操作部と、
前記操作部による吐水操作がロックされたロック状態にするロック機構と、
前記操作部による吐水操作が可能なロック解除状態のときに出現して前記吐水操作を示す第１表示部と、
を備えることを特徴とする。
【０００７】
この水栓は、ロック機構によって操作部による吐水操作がロックされるとともに、このロック状態が解除されることにより、吐水操作を示す第１表示部が出現する。このため、ロック状態では、意図しない吐水操作を防止するとともに、ロック解除状態では、第１表示部の吐水操作に関する表示を表示し、これに従って操作することを操作者に促す。
【０００８】
したがって、本発明の水栓は、誤操作を防止できるとともに、正しい吐水操作を操作者に認識させることができる。
【０００９】
なお、「吐水操作を示す」とは、例えば、操作方法や操作方向、操作による作用等を表す文字や図形等を示すことである。
【図面の簡単な説明】
【００１０】
【図１】実施例１に係る水栓を示す斜視図である。
【図２】実施例１に係る水栓を示す正面図である。
【図３】実施例１に係る水栓を示す側面図である。
【図４】実施例１に係る水栓の吐出管先端部を示す拡大斜視図である。
【図５】実施例１に係る水栓の吐出管先端部を示す拡大断面図である。
【図６】図５のＶＩ−ＶＩ線断面を示す図である。
【図７】実施例１に係る回動式ハンドルを示す分解斜視図である。
【図８】実施例１に係る水栓の作用を説明する図であり、ロック解除状態を示す斜視図である。
【図９】実施例１に係る水栓の作用を説明する図であり、ロック解除状態を示す断面図である。
【図１０】実施例１に係る水栓の作用を説明する図であり、回動操作を行った状態を示す。
【図１１】実施例２に係る水栓の作用を説明する図であり、ロック状態を示す。
【図１２】実施例２に係る水栓の作用を説明する図であり、ロック解除状態を示す。
【発明を実施するための形態】
【００１１】
本発明における好ましい実施の形態を説明する。
【００１２】
本発明の水栓は、前記ロック状態において、前記ロック状態から前記ロック解除状態に切り替えるロック解除操作を示す第２表示部を備え得る。この場合、第２表示部の表示により、ロック解除操作の方法を明確に認識させることができる。また、第１及び第２表示部の各表示により、正しい操作方法及び正しい操作手順を操作者に認識させることができる。
なお、「ロック解除操作を示す」とは、例えば、ロック解除操作の操作方法や、操作方向、ロック解除操作をすることにより起こること等を表す文字や図形等を示すことである。
【００１３】
本発明の水栓において、前記操作部は、所定の回動軸周りに回動自在及び前記回動軸方向に移動自在に設けられており、
前記ロック状態から前記ロック解除状態に切り替えるロック解除操作は、前記操作部の前記回動軸方向への移動操作であるとともに、前記吐水操作は、前記操作部の前記回動軸周りの回動操作であり得る。この場合、容易な操作の組み合わせで、ロック解除操作及び吐水操作を行うことができる水栓を実現できる。
【００１４】
本発明の水栓において、前記操作部は、所定の回動軸周りに回動自在及び前記回動軸方向に移動自在に設けられており、
前記ロック状態から前記ロック解除状態に切り替えるロック解除操作は、前記操作部の前記回動軸周りの回動操作であるとともに、前記吐水操作は、前記操作部の前記回動軸方向への移動操作であり得る。この場合、容易な操作の組み合わせで、ロック解除操作及び吐水操作を行うことができる水栓を実現できる。
【００１５】
次に、本発明の水栓を具体化した実施例１及び２について、図面を参照しつつ説明する。なお、以下の説明では、便宜上、鉛直方向を上下方向とする。
【００１６】
＜実施例１＞
実施例１の水栓１は、熱湯と、熱湯と水を混合した湯水とを吐出する熱湯混合水栓である。水栓１は、図１〜図４に示すように、水栓本体１０、吐出管２０、湯水吐出口３０、熱湯吐出口４０、レバー式ハンドル５０及び回動式ハンドル（本発明に係る操作部として例示する）６０を備えている。これらの各部材は、大部分を白色の樹脂カバーにより夫々覆われており、全体として白色を呈する清潔感のある意匠とされている。また、水栓１は、本発明に係る第１表示部及び第２表示部としての表示部８１，８２を備えている。
【００１７】
水栓本体１０は、水平方向に長い略直方体形状をなしている。水栓本体１０の背面両端部には、給水管２及び給湯管３が夫々接続されている。給水管２及び給湯管３は、壁面内の配管から水栓本体１０に水及び湯を夫々供給する。給湯管３は最高約９５℃の熱湯を供給することができる。水栓本体１０は、これら給水管２及び給湯管３からの水及び熱湯を混合して流出させる図示しない混合弁を内蔵している。
【００１８】
吐出管２０は、その基端部が水栓本体１０に回動自在に接続されている。吐出管２０は断面略円形状に形成されているとともに、全体として略Ｌ字形状に形成されている。吐出管２０は直線状に延びる直線状部２１を有している。直線状部２１は水平方向に延伸している。吐出管２０は、水栓本体１０の正面前方を中心として、水平面内で約１８０°の範囲で回動自在とされている。吐出管２０は、水栓本体１０の混合弁を経由した湯水を流通する湯水流通路２２と、給湯管３からの熱湯を流通する熱湯流通路２３とを有している。すなわち、吐出管２０は、湯水と熱湯が別々に流通する２系統の流通路を有している。また、吐出管２０はカバー部材２４を有している。カバー部材２４は耐熱樹脂製である。湯水流通路２２及び熱湯流通路２３はこのカバー部材２４内に配されている。
【００１９】
熱湯流通路２３は、管部２３Ａ及びバルブケース２３Ｂを有して形成されている。管部２３Ａは管状に形成されている。管部２３Ａは直線状部２１の中心軸Ｃに沿って延びている。バルブケース２３Ｂは、一端が閉塞された円筒状に形成されている。バルブケース２３Ｂは、直線状部２１の中心軸Ｃに同芯に配されている。バルブケース２３Ｂは、その開口端側を吐出管２０の先端側に向けて管部２３Ａに接続されている。具体的には、図５に示すように、バルブケース２３Ｂの閉塞端側には連通孔２３Ｃが形成されており、この連通孔２３Ｃに管部２３Ａの先端部が差し込まれてろう付け等により液密に接続されている。そして、この連通孔２３Ｃを介して、管部２３Ａ内の空間とバルブケース２３Ｂ内の空間が連通している。また、バルブケース２３Ｂの周側面には連通孔２３Ｄが形成されている。連通孔２３Ｄは、バルブケース２３Ｂ内の空間と熱湯吐出口４０とを連通している。バルブケース２３Ｂの開口端側の外周面とカバー部材２４の内周面の間には隙間Ｓ１が形成されており、後述する回動式ハンドル６０の縮径部６１Ａが差し込まれる。
【００２０】
吐出管２０の先端部には流量調整弁７０が設けられている。流量調整弁７０は、吐出管２０の熱湯流通路２３を流通して熱湯吐出口４０から吐出される熱湯の吐出量を調整する弁である。流量調整弁７０は、全体として有底の円筒形状をなしており、有底円筒形状のバルブケース２３Ｂ内にバルブケース２３Ｂと同軸に収容されている。流量調整弁７０は、その開口端が吐出管２０の基端部側を向くように、バルブケース２３Ｂの開口端からバルブケース２３Ｂ内の空間に挿脱自在に挿入されている。
【００２１】
図５に示すように、流量調整弁７０は、ホルダ７１及びシリンダ７２を備えている。また、流量調整弁７０はロック部材７３を備えている。ホルダ７１は円筒状に形成されている。ホルダ７１の一方の端面には流入口７１Ａが形成されている。流入口７１Ａは、上流側の熱湯流通路２３に向けて開口し、熱湯流通路２３内を流通する熱湯を流量調整弁７０内に流入する。ホルダ７１の周側面には流出口７１Ｂが形成されている。流出口７１Ｂは、下流側の熱湯流通路２３に向けて開口し、流量調整弁７０内の熱湯を下流側の熱湯流通路２３へ流出する。すなわち、流量調整弁７０は、上流側に開口する流入口７１Ａから流体を軸方向に流入し、下流側に開口する流出口７１Ｂから流体を径方向へ流出する。流入口７１Ａ及び流出口７１Ｂは、流量調整弁７０をバルブケース２３Ｂ内に収容した状態においては、流入口７１Ａが吐出管２０基端側の連通孔２３Ｃに開口して連通し、流出口７１Ｂが下方の連通孔２３Ｄに開口して連通している。
【００２２】
ロック部材７３は、ホルダ７１の他方の端面に取り付けられている。ロック部材７３は、後述するハンドル側ロック部材６３とともに、本発明に係るロック機構として機能する。ロック部材７３はリング状に形成されており、円筒状をなすホルダ７１の中心軸と同軸に配されている。図６に示すように、ロック部材７３の内周面には一対の突部７３Ａが形成されている。一対の突部７３Ａは、ロック部材７３の内周面から内側方向に向かって突出して形成されている。一対の突部７３Ａは、周方向に等間隔で形成されている。
【００２３】
シリンダ７２は有底筒状に形成されている。シリンダ７２は、ホルダ７１の内周面を摺動自在にホルダ７１に収容されている。また、シリンダ７２は、ホルダ７１との相対回転により流出口７１Ｂを開閉する。シリンダ７２は、ホルダ７１の内周面に沿って回動自在に設けられている。このシリンダ７２の回動は、吐出管２０の中心軸Ｃ周りの回動である。すなわち、シリンダ７２とホルダ７１とは、中心軸Ｃ周りに相対回動自在に設けられている。
【００２４】
シリンダ７２の周側面には開口７２Ａが形成されている。開口７２Ａは、シリンダ７２のホルダ７１との相対回動によりホルダ７１の流出口７１Ｂと連通する。シリンダ７２の閉塞側の端部には操作軸部７２Ｂが設けられている。操作軸部７２Ｂは、ホルダ７１の他端及びロック部材７３を貫通して吐出管２０の先端方向に延びて形成されている。操作軸部７２Ｂの外周面とロック部材７３の内周面との間には円弧状の隙間Ｓ２が設けられており、後述するハンドル側軸部材６２の凸状部６２Ｃ及びハンドル側ロック部材６３の突出部６３Ｃが嵌め込まれる。
【００２５】
湯水吐出口３０は、吐出管２０に形成されて湯水を吐出する。熱湯吐出口４０は、吐出管２０に形成されて熱湯を吐出する。図３に示すように、湯水吐出口３０及び熱湯吐出口４０は、吐出管２０から夫々異なる突出量で突出して形成されている。湯水吐出口３０及び熱湯吐出口４０は、吐出管２０の直線状部２１の先端部から下方に突出する形態で夫々設けられている。そして、熱湯吐出口４０の下端は、湯水吐出口３０の下端よりも下方まで延びて形成されている。すなわち、熱湯吐出口４０は、湯水吐出口３０よりも大きな突出量で下方に突出している。湯水吐出口３０及び熱湯吐出口４０は、湯水吐出口３０が吐出管２０の基端側、熱湯吐出口４０が吐出管２０の先端側となる配置で、吐出管２０の直線状部２１の延出する方向に沿って隣接して夫々設けられている。さらに、熱湯吐出口４０の下端部外周面は赤色に着色されている。
【００２６】
レバー式ハンドル５０は、水栓本体１０の混合弁による湯水の混合割合及び吐出量を調節する操作ハンドルである。レバー式ハンドル５０は、水栓本体１０の上面の長手方向略中央に回動自在に設けられている。レバー式ハンドル５０は、水平軸周りの回動、すなわち、レバー式ハンドル５０の先端が上下に移動する回動操作により湯水の吐出量を調節する。また、レバー式ハンドル５０は、鉛直軸周りの回動、すなわち、レバー式ハンドル５０の先端が水平に移動する回動操作により、湯水の混合割合を調節する。
【００２７】
回動式ハンドル６０は熱湯を吐出する吐水操作を行う。回動式ハンドル６０は、流量調整弁７０を操作するハンドルであり、熱湯吐出口４０から吐出される熱湯の吐出量を調節する。本実施例１において、回動式ハンドル６０による吐水操作とは、円柱形状をなす吐出管２０の直線状部２１の中心軸Ｃと同軸周りの回動操作である。すなわち、回動式ハンドル６０は、所定の回動軸としての中心軸Ｃ周りに回動自在に設けられている。この回動式ハンドル６０の回動操作によって、流量調整弁７０のシリンダ７２がホルダ７１に対して相対回動し、回動量に応じた量の熱湯が熱湯吐出口４０から吐出される。
【００２８】
回動式ハンドル６０は、ロック機構により、吐水操作である回動操作をロックされたロック状態にされる。このロック状態は、ロック解除操作を行うことにより、ロック解除状態に切り替えられる。本実施例１において、回動式ハンドル６０は、中心軸Ｃ方向にも移動自在に設けられている。そして、上述のロック解除操作は、回動式ハンドル６０の中心軸Ｃ方向への移動操作とされている。具体的には、ロック解除操作とは、ロック状態とされた回動式ハンドル６０の中心軸Ｃ方向への引っ張り操作である。
【００２９】
回動式ハンドル６０の構成を以下に説明する。図５〜図７に示すように、回動式ハンドル６０は、ハンドル本体６１、ハンドル側軸部材６２、ハンドル側ロック部材６３及び蓋部材６４を有している。ハンドル本体６１は、吐出管２０の外径と略同径の円柱形状をなしているとともに、その中心軸が吐出管２０の直線状部２１の中心軸Ｃと同軸に、吐出管２０の先端に配置されている。ハンドル本体６１の基端側には縮径部６１Ａが形成されている。縮径部６１Ａは、ハンドル本体６１の外周面の他の部位よりも縮径して形成されており、上述のバルブケース２３Ｂとカバー部材２４との間の隙間Ｓ１に差し込まれている。縮径部６１Ａの外周面は赤色に着色されている。
【００３０】
ハンドル本体６１の縮径部６１Ａ側の端部には凹部６１Ｂが形成されている。凹部６１Ｂは、ハンドル本体６１の一端から中心軸方向に陥没して形成されている。さらに、ハンドル本体６１には、貫通孔６１Ｃ及び溝部６１Ｄが形成されている。貫通孔６１Ｃは、ハンドル本体６１の中心軸に沿って、凹部６１Ｂの底面から先端側端面まで貫通して形成されている。溝部６１Ｄは、円柱形状をなすハンドル本体６１の先端側の端面中心から外周方向に延びるとともに、外周面上を中心軸に沿って延びる略Ｌ字状の溝として形成されている。溝部６１Ｄには蓋部材６４が取り付けられる。さらに、ハンドル本体６１には、後述する表示部８１，８２が配されている。
【００３１】
ハンドル側軸部材６２は外周面に段差が形成された筒状をなしている。ハンドル側軸部材６２は、大径に形成された一方の端部（大径端部）６２Ａの内周面がシリンダ７２の操作軸部７２Ｂの外周面に係合している。ハンドル側軸部材６２の小径に形成された他方の端部（小径端部）６２Ｂからは、操作軸部７２Ｂに螺合するねじが挿通されている。これにより、ハンドル側軸部材６２は操作軸部７２Ｂに固定されている。また、図６及び図７に示すように、ハンドル側軸部材６２の外周面には、外側方向に向かって突出するとともに軸方向に沿って伸びる一対の凸状部６２Ｃが設けられている。一対の凸状部６２Ｃは、大径端部６２Ａの外周面の周方向に等間隔で設けられており、ハンドル側軸部材６２が操作軸部７２Ｂに固定された状態において、上述の操作軸部７２Ｂの外周面とロック部材７３の内周面との間の隙間Ｓ２に夫々嵌め込まれた形態とされている。ハンドル側軸部材６２は、ロック部材７３の一対の突部７３Ａの間の円弧状の隙間Ｓ２を凸状部６２Ｃが移動可能な範囲（約９０°）で回動自在に設けられている。
【００３２】
ハンドル側ロック部材６３は、図５及び図７に示すように、その内周面がハンドル側軸部材６２の大径端部６２Ａの外周面と係合する円筒状に形成されている。ハンドル側ロック部材６３は、フランジ部６３Ａ、切欠部６３Ｂ及び突出部６３Ｃを有している。フランジ部６３Ａは、円筒状をなすハンドル側ロック部材６３の一端の開口を閉塞している。ハンドル側ロック部材６３は、このフランジ部６３Ａがハンドル本体６１の凹部６１Ｂの底面に当接する形態で、ハンドル本体６１にビス留め固定されている。
【００３３】
切欠部６３Ｂは、ハンドル側ロック部材６３の周壁を軸方向に切欠いて形成されている。切欠部６３Ｂは、周方向に等間隔に一対が形成されている。一対の切欠部６３Ｂには、ハンドル側軸部材６２の一対の凸状部６２Ｃが夫々係合している。これにより、ハンドル側ロック部材６３は、凸状部６２Ｃの延伸方向であるハンドル側軸部材６２の軸方向に移動自在であるとともに、ハンドル本体６１を回動操作したときには、切欠部６３Ｂの端縁が凸状部６２Ｃに当接してハンドル側軸部材６２を回動させる。すなわち、ハンドル側ロック部材６３は、ハンドル本体６１を軸方向に沿って移動させると、ハンドル側軸部材６２に対して軸方向に相対移動し、ハンドル本体６１を回動軸周りに回動させると、ハンドル側軸部材６２を連れて回動する。
【００３４】
突出部６３Ｃは、フランジ部６３Ａとは反対側のハンドル側ロック部材６３の端部から軸方向に突出して形成されている。図７に示すように、突出部６３Ｃは、ハンドル側ロック部材６３の周壁に倣った円弧状に突出している。突出部６３Ｃは周方向に等間隔に一対が設けられている。一対の突出部６３Ｃは、上述の隙間Ｓ２に挿脱自在にされている。具体的には、一対の突出部６３Ｃは、図６に示すように、円弧状をなす隙間Ｓ２のうち、ハンドル側軸部材６２の凸状部６２Ｃの挿入されていない部分の隙間Ｓ２を埋めるように挿入される。これにより、凸状部６２Ｃの隙間Ｓ２内の移動が規制され、ハンドル側軸部材６２が回動不能な状態となる。すなわち、回動式ハンドル６０は、ハンドル側ロック部材６３の突出部６３Ｃがロック部材７３とハンドル側軸部材６２との間の隙間Ｓ２に挿入された状態において、吐水操作である回動操作をロックしたロック状態とされる。本実施例においては、このような構成によって、本発明に係るロック機構が実現されている。
【００３５】
また、上述のロック状態は、突出部６３Ｃを隙間Ｓ２から外すことにより解除される。詳細には、回動式ハンドル６０（ハンドル本体６１）を引っ張り操作して軸方向に移動させることにより、ハンドル側ロック部材６３も軸方向に移動して突出部６３Ｃが隙間Ｓ２から抜け出る。これにより、回動式ハンドル６０による回動操作が可能な状態であるロック解除状態となる。
【００３６】
なお、回動式ハンドル６０は、図５に示すように、ばね６５を有している。ばね６５は、回動式ハンドル６０の無操作時には、ロック状態となる方向へ回動式ハンドル６０に付勢力を付与している。したがって、回動式ハンドル６０の引っ張り操作は、このばね６５の付勢力に抗して行われる。ばね６５は、図５に示すように、ハンドル側ロック部材６３を操作軸部７２Ｂに固定するねじＳＣ（ワッシャＷ）とハンドル側ロック部材６３との間に配されている。
【００３７】
蓋部材６４はＬ字形状に形成されており、ハンドル本体６１の溝部６１Ｄに着脱自在に嵌め込まれている。蓋部材６４はハンドル本体６１の貫通孔６１Ｃを閉塞する。また、蓋部材６４は、周囲の色（白色）とは異なる赤色に着色されており、回動式ハンドル６０の回動量の目安や、回動式ハンドル６０が熱湯の操作ハンドルであることの注意喚起等の目印として機能する。
【００３８】
表示部８１は操作部としての回動式ハンドル６０による吐水操作を示す。本実施例の場合、表示部８１には、操作による作用を表す「熱湯出る」という文字と、操作方向を表す矢印の図形が表示されている。表示部８１は、操作部である回動式ハンドル６０による吐水操作としての回動操作が可能なロック解除状態のときに出現する。具体的には、表示部８１は、図４に示すように、ハンドル本体６１の縮径部６１Ａに設けられており、ロック解除状態とするための操作である回動式ハンドル６０の引っ張り操作により出現する。そして、表示部８１は、回動操作をロックしたロック状態においては、カバー部材２４に覆われている。また、表示部８１は、赤色に着色された縮径部６１Ａの外周面上に白色の文字及び図形で示されている。
【００３９】
表示部８２は、回動式ハンドル６０の回動操作がロックされたロック状態からロック解除状態に切り替えるロック解除操作を示す。本実施例の場合、表示部８２には、操作方法を表す「引く」という文字と、操作方向を表す矢印の図形が表示されている。表示部８２は、ロック状態においてこれらの文字及び図形を示している。図４に示すように、表示部８２は、ハンドル本体６１の操作面である外周面に設けられている。表示部８２は、白地に赤色の文字及び図形で示されている。
【００４０】
次に、上記のように構成された実施例１の水栓１の作用について説明する。
水栓１において、湯水を吐出する吐水操作を行う場合にはレバー式ハンドル５０を操作し、熱湯を吐出する吐水操作を行う場合には回動式ハンドル６０を操作する。これら２つのハンドル５０，６０のうち、回動式ハンドル６０は赤色に着色された蓋部材６４を有している。このため、回動式ハンドル６０が熱湯吐出用のハンドルであることが容易に認識される。また、本実施例の場合には、回動式ハンドル６０の蓋部材６４を他の部位の白色とは異なる赤色としていることから、目立ちやすく操作者の目に留まりやすい。また、赤色であることから、熱湯を扱うことに対する注意喚起にもなる。
【００４１】
回動式ハンドル６０は、通常状態においては、回動操作がロックされたロック状態とされている。このため、意図しない操作や誤操作によって熱湯が吐出されるのが防止される。また、ロック状態において、吐出操作である回動操作を示す表示部８１の表示は表示されていない。したがって、ロック状態での無理な回動操作が抑制される。
【００４２】
回動式ハンドル６０により吐水操作である回動操作を行うには、最初に、ロック解除操作を行いロック解除状態にする。具体的には、回動式ハンドル６０を吐出管２０の中心軸Ｃに沿って先端方向に引っ張る引っ張り操作を行う。これにより、図８及び図９に示すように、回動式ハンドル６０が軸方向に移動する。また、これに伴ってハンドル側ロック部材６３の突出部６３Ｃが隙間Ｓ２から抜け出て、ロック解除状態とされる。このロック解除操作を行う時、ハンドル本体６１の外周面に設けられた表示部８２によって、ロック解除操作の操作方法及び操作方向が明確に示されている。このため、表示部８２に表示された操作以外の誤った操作が行われ難い。
【００４３】
このようにしてロック解除状態になると、ハンドル本体６１は、縮径部６１Ａが隙間Ｓ１から引き出された状態とされる。これにより、表示部８１が出現する。この表示部８１が表示されることによって、吐水操作の操作方法及び操作方向が示される。このため、表示部８１に表示された操作以外の誤った吐水操作が行われ難い。また、表示部８１は、ロック解除状態で出現しており、ロック状態では出現していない。このため、表示部８１の表示に促されてのロック状態における回動操作が回避され、無理な回動操作が行われ難い。また、ロック解除状態において赤色に着色された縮径部６１Ａが出現することにより、熱湯を吐出可能な状態となったことが注意喚起される。
【００４４】
そして、回動式ハンドル６０を回動操作すると、図１０に示すように、熱湯吐出口４０から熱湯が吐出される。回動式ハンドル６０は、流量調整弁７０のシリンダ７２を回動させる。このため、熱湯吐出口４０から吐出される熱湯は、回動式ハンドル６０の回動操作の操作量に応じた吐出量で吐出される。流量調整弁７０は、回動式ハンドル６０の回動により、ホルダ７１に対してシリンダ７２が相対回動するのみであり、軸方向への変位は生じない。このため、回動式ハンドル６０の回動による軸方向の変位も生じず、美観を損なうことがない。
【００４５】
また、回動式ハンドル６０は、吐出管２０の先端に設けられているので、操作者は吐出される熱湯よりも手前で回動操作を行うことができ安全である。また、回動式ハンドル６０は、吐出管２０の外径と略同径の円柱状に形成されており、その中心軸が吐出管２０の直線状部２１の中心軸Ｃと同軸になるように直線状部２１の先端部に配置されているので、すっきりとした美観を呈している。
【００４６】
また、熱湯吐出口４０は湯水吐出口３０よりも吐出管２０の先端寄りの位置に設けられており、吐出管２０の先端に配置された回動式ハンドル６０により近い位置から熱湯が吐出される。また、熱湯が吐出される熱湯吐出口４０の下端部は赤色に着色されていることから、熱湯の吐出口であることを容易に認識できるとともに、操作者の目に留まりやすく、注意を喚起する。更に、熱湯吐出口４０の下端部の赤色と回動式ハンドル６０の蓋部材６４の赤色とが同色であることから、熱湯吐出口４０と回動式ハンドル６０のとの関連性を認識させやすい。
【００４７】
また、湯水吐出口３０と熱湯吐出口４０とは別に設けられている。これにより、例えば、熱湯を吐出した直後に湯水を吐出する場合でも、残っていた熱湯が不意に吐出してしまうことがない。また、湯水吐出口３０は、その下端が熱湯吐出口４０の下端よりも上方に位置しているので、熱湯の吐出される熱湯吐出口４０との吐出位置の違いを容易に認識できる。
【００４８】
以上のように、本実施例の水栓１は、吐水操作である回動操作を行う操作部としての回動式ハンドル６０と、回動式ハンドル６０による回動操作がロックされたロック状態にするロック機構と、回動式ハンドル６０による回動操作が可能なロック解除状態のときに出現して回動操作を示す表示部８１とを備えている。
【００４９】
このように、水栓１は、ロック機構により、回動式ハンドル６０による吐水操作である回動操作がロックされるとともに、このロック状態が解除されることにより、吐水操作である回動操作を示す表示部８１が出現する。このため、ロック状態では、意図しない回動操作を防止するとともに、ロック解除状態では、表示部８１の回動操作に関する表示を表示し、これに従って操作することを操作者に促す。
【００５０】
したがって、実施例１の水栓１は、誤操作を防止できるとともに、正しい吐水操作を操作者に認識させることができる。
【００５１】
また、水栓１は、ロック状態において、ロック状態からロック解除状態に切り替えるロック解除操作を示す表示部８２を備えている。このため、表示部８２の表示により、ロック解除操作の方法を明確に認識させることができる。また、表示部８１及び表示部８２の各表示により、正しい操作方法及び正しい操作手順を操作者に認識させることができる。
【００５２】
また、操作部としての回動式ハンドル６０は、所定の回動軸としての吐出管２０の直線状部２１の中心軸Ｃと同軸周りに回動自在に設けられているとともに、中心軸Ｃ方向に移動自在に設けられており、ロック状態からロック解除状態に切り替えるロック解除操作は、回動式ハンドル６０の中心軸Ｃ方向への移動操作であるとともに、吐水操作は、回動式ハンドル６０の中心軸Ｃ周りの回動操作である。このように、水栓１は、容易な操作の組み合わせで、ロック解除操作及び吐水操作を実現できる。
【００５３】
＜実施例２＞
実施例２の水栓２０１は、吐水操作とロック解除操作の操作形態において実施例１と相違する。水栓２０１において、回動式ハンドル２６０は、実施例１の回動式ハンドル６０と同様に、吐出管２０の直線状部２１の先端に設けられており、所定の回動軸としての直線状部２１の中心軸Ｃと同軸周りに回動自在及び中心軸Ｃの軸方向に移動自在に設けられている。しかし、ロック解除操作は、回動式ハンドル２６０の中心軸Ｃ周りの回動操作であり、吐出操作は回動式ハンドル２６０の中心軸Ｃ方向への移動操作である。図１１に示すロック状態から回動式ハンドル２６０を回動操作するとロック解除状態となる。そして、図１２に示すロック解除状態において回動式ハンドル２６０を中心軸Ｃ方向に押し込む操作を行うと熱湯が吐出される。
【００５４】
また、水栓２０１は、図１１に示すように、表示部２８１，２８２を備えている。表示部２８１は、実施例１の表示部８１と同様に、回動式ハンドル２６０の縮径部２６０Ａに配されているが、その位置は、表示部８１よりも縮径部２６０Ａの先端寄り（ハンドル本体２６１の基端寄り）とされている。表示部２８１には、操作方法を示す「押す」という文字と、操作方向を示す矢印の図形が表示されている。表示部２８２は、実施例１の表示部８２と同位置に配されている。表示部２８２には、操作方法を表す「回す」という文字と、操作方向を表す矢印の図形が表示されている。また、吐出管２０のカバー部材２４には、開口部２４Ａが形成されている。開口部２４Ａは、表示部２８１が回動操作によって移動する位置に対応する位置に形成されている。
なお、実施例２において、表示部２８１は、実施例１の表示部８１と同様に赤地に白色の文字及び図形で示されているが、縮径部２６０Ａは周囲と同じ白色である。また、表示部２８２は、実施例１の表示部８２と同様に、白地に赤色の文字及び図形で示されている。
【００５５】
図１１に示すように、回動式ハンドル２６０のロック状態において、表示部２８１は視認不能な位置に配され、表示部２８２は視認可能な位置に配されている。このロック状態において、吐出操作である押し込み操作はロックされている。そして、この状態から、表示部２８２の表示に従ってロック解除操作である回動操作を行うことにより、図１２に示すロック解除状態に切り替わる。ロック解除状態では、表示部２８１は開口部２４Ａの位置に出現する。すなわち、表示部２８１は、ロック解除操作である回動操作を行い、吐水操作を可能にしたロック解除状態で出現する。そして、表示部２８１の表示に従って吐水操作である押し込み操作を行うと、熱湯吐出口４０から熱湯が吐出する。
【００５６】
このように、実施例２の水栓２０１は、ロック機構により、回動式ハンドル２６０による吐水操作である押し込み操作がロックされるとともに、このロック状態が解除されることにより、吐水操作である押し込み操作を示す表示部２８１が出現する。このため、ロック状態では、意図しない回動操作を防止するとともに、ロック解除状態では、表示部２８１の回動操作に関する表示を表示し、これに従って操作することを操作者に促す。
【００５７】
したがって、実施例２の水栓２０１もまた、誤操作を防止できるとともに、正しい吐水操作の方法を操作者に認識させることができる。
【００５８】
また、水栓２０１は、ロック状態において、ロック状態からロック解除状態に切り替えるロック解除操作を示す表示部２８２を備えている。このため、表示部２８２の表示により、ロック解除操作の方法を明確に認識させることができる。また、表示部２８１及び表示部２８２の各表示により、正しい操作方法及び正しい操作手順を操作者に認識させることができる。
【００５９】
また、操作部としての回動式ハンドル２６０は、所定の回動軸としての吐出管２０の直線状部２１の中心軸Ｃと同軸周りに回動自在に設けられているとともに、中心軸Ｃ方向に移動自在に設けられており、ロック状態からロック解除状態に切り替えるロック解除操作は、回動式ハンドル２６０の中心軸Ｃ周りの回動操作であるとともに、吐水操作は、回動式ハンドル２６０の中心軸方向への移動操作である。このように、水栓２０１もまた、容易な操作の組み合わせによりロック解除操作及び吐水操作を実現している。
【００６０】
本発明は上記記述及び図面によって説明した実施例に限定されるものではなく、例えば次のような実施例も本発明の技術的範囲に含まれる。
（１）実施例１及び２では、水栓として熱湯混合水栓を例示したが、熱湯や水を吐出する単水栓であってもよい。
（２）実施例１及び２では、吐出操作又はロック解除操作として、所定軸周りの回動操作又は所定軸方向の移動操作を例示したが、他の操作形態であってもよい。
（３）実施例１及び２では、ロック解除操作を示す第２表示部としての表示部８２，２８２を夫々例示したが、第２表示部は必須の構成ではない。
（４）実施例１及び２では、第１表示部及び第２表示部の表示形態として、赤地に白文字、白地の赤文字の形態と例示したが、これらに限定されない。第１表示部及び第２表示部の表示形態は、明確に視認可能な色彩やコントラストで表示される形態であればよい。
【符号の説明】
【００６１】
１，２０１…水栓
２…給水管
３…給湯管
１０…水栓本体
２０…吐出管
２１…直線状部
３０…湯水吐出口
４０…熱湯吐出口
５０…レバー式ハンドル
６０，２６０…回動式ハンドル
８１，２８１…表示部（第１表示部）
８２，２８２…表示部（第２表示部）
Ｃ…直線状部の中心軸
【図１】
2018062814.tif 000003
【図２】
2018062814.tif 000004
【図３】
2018062814.tif 000005
【図４】
2018062814.tif 000006
【図５】
2018062814.tif 000007
【図６】
2018062814.tif 000008
【図７】
2018062814.tif 000009
【図８】
2018062814.tif 000010
【図９】
2018062814.tif 000011
【図１０】
2018062814.tif 000012
【図１１】
2018062814.tif 000013
【図１２】
2018062814.tif 000014